(57)【特許請求の範囲】
【請求項１】
画像形成装置であって、
第１のタッチスクリーンを有する操作入力部と、
前記第１のタッチスクリーンと携帯端末に設けられた第２のタッチスクリーンとの間に跨がるドラッグアンドドロップ操作に応じて、操作対象ファイルに関する情報を前記携帯端末から受信する受信手段と、
前記受信手段により受信された前記操作対象ファイルに関する情報に基づいて、前記操作対象ファイルに関するアクションを実行する動作制御手段と、
を備え、
前記操作入力部は、ハードウエアボタンを前記第１のタッチスクリーンの周囲に有し、
前記第１のタッチスクリーンは、前記ハードウエアボタンに対応する機能を実現する前記アクションの実行指示を受け付け且つ前記ドラッグアンドドロップ操作におけるドロップ操作の対象領域である第１の指示受付ボタンを、前記ハードウエアボタンである第２の指示受付ボタンの近傍に、前記ドラッグアンドドロップ操作におけるドラッグ操作開始後の所定のタイミングで表示することを特徴とする画像形成装置。
【請求項２】
請求項１に記載の画像形成装置において、
前記第１のタッチスクリーンは、前記操作対象ファイルに関するアイコンを前記第１の指示受付ボタンへドロップする前記ドロップ操作に応答して、前記アクションに関する詳細設定画面を表示することを特徴とする画像形成装置。
【請求項３】
請求項２に記載の画像形成装置において、
前記携帯端末との連携動作に係る前記アクションの実行履歴を記憶する履歴格納手段、
をさらに備え、
前記第１のタッチスクリーンは、前記詳細設定画面において、前記アクションの前記実行履歴に記憶された過去の設定情報を利用する旨を設定する所定の設定ボタンを表示することを特徴とする画像形成装置。
【請求項４】
請求項１に記載の画像形成装置において、
前記第１のタッチスクリーンは、前記ドラッグアンドドロップ操作における前記ドラッグ操作開始直後に前記第１の指示受付ボタンを表示することを特徴とする画像形成装置。
【請求項５】
請求項１に記載の画像形成装置において、
前記第１のタッチスクリーンは、前記ドラッグアンドドロップ操作において前記第２のタッチスクリーンから前記第１のタッチスクリーンへの前記操作対象ファイルに関するアイコンの移動が行われた時点で、前記第１の指示受付ボタンを表示することを特徴とする画像形成装置。
【請求項６】
請求項１に記載の画像形成装置において、
前記受信手段は、前記ドラッグアンドドロップ操作におけるドロップ操作完了時点よりも前の所定時点から、前記操作対象ファイルの受信動作を開始することを特徴とする画像形成装置。
【請求項７】
請求項１に記載の画像形成装置において、
前記アクションは、前記操作対象ファイルに関する印刷出力動作を含むことを特徴とする画像形成装置。
【請求項８】
請求項１に記載の画像形成装置において、
前記アクションは、前記操作対象ファイルに関するファクシミリ送信動作を含むことを特徴とする画像形成装置。
【請求項９】
請求項１に記載の画像形成装置において、
前記アクションは、前記操作対象ファイルを前記画像形成装置の記憶部に格納する格納動作を含むことを特徴とする画像形成装置。
【請求項１０】
画像形成システムであって、
画像形成装置と、
前記画像形成装置と連携可能な携帯端末と、
を備え、
前記画像形成装置は、
第１のタッチスクリーンを有する操作入力部と、
前記第１のタッチスクリーンと前記携帯端末に設けられた第２のタッチスクリーンとの間に跨がるドラッグアンドドロップ操作に応じて、操作対象ファイルに関する情報を前記携帯端末から受信する受信手段と、
前記受信手段により受信された前記操作対象ファイルに関する情報に基づいて、前記操作対象ファイルに関するアクションを実行する動作制御手段と、
を有し、
前記操作入力部は、ハードウエアボタンを前記第１のタッチスクリーンの周囲に有し、
前記第１のタッチスクリーンは、前記ハードウエアボタンに対応する機能を実現する前記アクションの実行指示を受け付け且つ前記ドラッグアンドドロップ操作におけるドロップ操作の対象領域である第１の指示受付ボタンを、前記ハードウエアボタンである第２の指示受付ボタンの近傍に、前記ドラッグアンドドロップ操作におけるドラッグ操作開始後の所定のタイミングで表示することを特徴とする画像形成システム。
【請求項１１】
画像形成装置の制御方法であって、
ａ）前記画像形成装置に設けられた第１のタッチスクリーンと、前記画像形成装置と連携可能な携帯端末に設けられた第２のタッチスクリーンとの間に跨がるドラッグアンドドロップ操作に応じて、操作対象ファイルに関する情報を前記携帯端末から受信するステップと、
ｂ）前記ステップａ）において受信された前記操作対象ファイルに関する情報に基づいて、前記操作対象ファイルに関するアクションを実行するステップと、
ｃ）前記第１のタッチスクリーンの周囲に設けられたハードウエアボタンに対応する機能を実現する前記アクションの実行指示を受け付け且つ前記ドラッグアンドドロップ操作におけるドロップ操作の対象領域である第１の指示受付ボタンを、前記第１のタッチスクリーン内に表示するステップと、
を備え、
前記ステップｃ）は、
前記第１の指示受付ボタンを、前記ハードウエアボタンである第２の指示受付ボタンの近傍に、前記ドラッグアンドドロップ操作におけるドラッグ操作開始後の所定のタイミングで表示するステップ、
を有することを特徴とする、画像形成装置の制御方法。
【請求項１２】
画像形成装置に内蔵されたコンピュータに、
ａ）前記画像形成装置に設けられた第１のタッチスクリーンと、前記画像形成装置と連携可能な携帯端末に設けられた第２のタッチスクリーンとの間に跨がるドラッグアンドドロップ操作に応じて、操作対象ファイルに関する情報を前記携帯端末から受信するステップと、
ｂ）前記ステップａ）において受信された前記操作対象ファイルに関する情報に基づいて、前記操作対象ファイルに関するアクションを実行するステップと、
ｃ）前記第１のタッチスクリーンの周囲に設けられたハードウエアボタンに対応する機能を実現する前記アクションの実行指示を受け付け且つ前記ドラッグアンドドロップ操作におけるドロップ操作の対象領域である第１の指示受付ボタンを、前記第１のタッチスクリーン内に表示するステップと、
を実行させるためのプログラムであって、
前記ステップｃ）は、
前記第１の指示受付ボタンを、前記ハードウエアボタンである第２の指示受付ボタンの近傍に、前記ドラッグアンドドロップ操作におけるドラッグ操作開始後の所定のタイミングで表示するステップ、
を有することを特徴とするプログラム。
【発明の詳細な説明】
【技術分野】
【０００１】
本発明は、画像形成装置およびそれに関連する技術に関する。
【背景技術】
【０００２】
ＭＦＰ（マルチ・ファンクション・ペリフェラル（Multi-Functional Peripheral））などの画像形成装置においては、その操作表示部にタッチスクリーン等が設けられており、ユーザからの操作入力が当該タッチスクリーン等により受け付けられる。タッチスクリーンによる操作入力においては、画面に表示されているボタンが入力ボタンとしても機能し、表示出力部分と入力受付部分とが直接的に対応している。そのため、タッチスクリーンによる操作入力は、直感的で非常に判り易い操作を実現できるなどの利点を有している。
【０００３】
また、特許文献１においては、１つのデバイス（情報処理装置）内に設けられた２つのタッチスクリーンを利用して、ドラッグアンドドロップ操作を実現する技術が記載されている。
【先行技術文献】
【特許文献】
【０００４】
【特許文献１】特開２０１０−２５０４６３号公報
【発明の概要】
【発明が解決しようとする課題】
【０００５】
ところで、画像形成装置は、単体で動作するととともに、その他の機器、特に携帯情報端末（携帯端末とも称する）と連携することが好ましい。
【０００６】
なお、上記特許文献１に記載の技術は、１つのデバイス（情報処理装置）内に設けられた２つのタッチスクリーンを利用してドラッグアンドドロップ操作を実現するものであり、異なるデバイス間においてドラッグアンドドロップ操作を実現するものではない。
【０００７】
そこで、この発明の課題は、携帯端末との連携性を向上させることが可能な画像形成装置およびそれに関連する技術を提供することにある。
【課題を解決するための手段】
【０００８】
上記課題を解決すべく、請求項１の発明は、画像形成装置であって、第１のタッチスクリーンを有する操作入力部と、前記第１のタッチスクリーンと携帯端末に設けられた第２のタッチスクリーンとの間に跨がるドラッグアンドドロップ操作に応じて、操作対象ファイルに関する情報を前記携帯端末から受信する受信手段と、前記受信手段により受信された前記操作対象ファイルに関する情報に基づいて、前記操作対象ファイルに関するアクションを実行する動作制御手段と、を備え、前記操作入力部は、ハードウエアボタンを前記第１のタッチスクリーンの周囲に有し、前記第１のタッチスクリーンは、前記ハードウエアボタンに対応する機能を実現する前記アクションの実行指示を受け付け且つ前記ドラッグアンドドロップ操作におけるドロップ操作の対象領域である第１の指示受付ボタンを、前記ハードウエアボタンである第２の指示受付ボタンの近傍に、前記ドラッグアンドドロップ操作におけるドラッグ操作開始後の所定のタイミングで表示することを特徴とする。
【００１１】
請求項２の発明は、請求項１の発明に係る画像形成装置において、前記第１のタッチスクリーンは、前記操作対象ファイルに関するアイコンを前記第１の指示受付ボタンへドロップする前記ドロップ操作に応答して、前記アクションに関する詳細設定画面を表示することを特徴とする。
【００１２】
請求項３の発明は、請求項２の発明に係る画像形成装置において、前記携帯端末との連携動作に係る前記アクションの実行履歴を記憶する履歴格納手段、をさらに備え、前記第１のタッチスクリーンは、前記詳細設定画面において、前記アクションの前記実行履歴に記憶された過去の設定情報を利用する旨を設定する所定の設定ボタンを表示することを特徴とする。
【００１４】
請求項４の発明は、請求項１の発明に係る画像形成装置において、前記第１のタッチスクリーンは、前記ドラッグアンドドロップ操作における前記ドラッグ操作開始直後に前記第１の指示受付ボタンを表示することを特徴とする。
【００１５】
請求項５の発明は、請求項１の発明に係る画像形成装置において、前記第１のタッチスクリーンは、前記ドラッグアンドドロップ操作において前記第２のタッチスクリーンから前記第１のタッチスクリーンへの前記操作対象ファイルに関するアイコンの移動が行われた時点で、前記第１の指示受付ボタンを表示することを特徴とする。
【００１６】
請求項６の発明は、請求項１の発明に係る画像形成装置において、前記受信手段は、前記ドラッグアンドドロップ操作におけるドロップ操作完了時点よりも前の所定時点から、前記操作対象ファイルの受信動作を開始することを特徴とする。
【００１７】
請求項７の発明は、請求項１の発明に係る画像形成装置において、前記アクションは、前記操作対象ファイルに関する印刷出力動作を含むことを特徴とする。
【００１８】
請求項８の発明は、請求項１の発明に係る画像形成装置において、前記アクションは、前記操作対象ファイルに関するファクシミリ送信動作を含むことを特徴とする。
【００１９】
請求項９の発明は、請求項１の発明に係る画像形成装置において、前記アクションは、前記操作対象ファイルを前記画像形成装置の記憶部に格納する格納動作を含むことを特徴とする。
【００２０】
請求項１０の発明は、画像形成システムであって、画像形成装置と、前記画像形成装置と連携可能な携帯端末と、を備え、前記画像形成装置は、第１のタッチスクリーンを有する操作入力部と、前記第１のタッチスクリーンと前記携帯端末に設けられた第２のタッチスクリーンとの間に跨がるドラッグアンドドロップ操作に応じて、操作対象ファイルに関する情報を前記携帯端末から受信する受信手段と、前記受信手段により受信された前記操作対象ファイルに関する情報に基づいて、前記操作対象ファイルに関するアクションを実行する動作制御手段と、を有し、前記操作入力部は、ハードウエアボタンを前記第１のタッチスクリーンの周囲に有し、前記第１のタッチスクリーンは、前記ハードウエアボタンに対応する機能を実現する前記アクションの実行指示を受け付け且つ前記ドラッグアンドドロップ操作におけるドロップ操作の対象領域である第１の指示受付ボタンを、前記ハードウエアボタンである第２の指示受付ボタンの近傍に、前記ドラッグアンドドロップ操作におけるドラッグ操作開始後の所定のタイミングで表示することを特徴とする。
【００２１】
請求項１１の発明は、画像形成装置の制御方法であって、ａ）前記画像形成装置に設けられた第１のタッチスクリーンと、前記画像形成装置と連携可能な携帯端末に設けられた第２のタッチスクリーンとの間に跨がるドラッグアンドドロップ操作に応じて、操作対象ファイルに関する情報を前記携帯端末から受信するステップと、ｂ）前記ステップａ）において受信された前記操作対象ファイルに関する情報に基づいて、前記操作対象ファイルに関するアクションを実行するステップと、ｃ）前記第１のタッチスクリーンの周囲に設けられたハードウエアボタンに対応する機能を実現する前記アクションの実行指示を受け付け且つ前記ドラッグアンドドロップ操作におけるドロップ操作の対象領域である第１の指示受付ボタンを、前記第１のタッチスクリーン内に表示するステップと、を備え、前記ステップｃ）は、前記第１の指示受付ボタンを、前記ハードウエアボタンである第２の指示受付ボタンの近傍に、前記ドラッグアンドドロップ操作におけるドラッグ操作開始後の所定のタイミングで表示するステップ、を有することを特徴とする。
【００２２】
請求項１２の発明は、画像形成装置に内蔵されたコンピュータに、ａ）前記画像形成装置に設けられた第１のタッチスクリーンと、前記画像形成装置と連携可能な携帯端末に設けられた第２のタッチスクリーンとの間に跨がるドラッグアンドドロップ操作に応じて、操作対象ファイルに関する情報を前記携帯端末から受信するステップと、ｂ）前記ステップａ）において受信された前記操作対象ファイルに関する情報に基づいて、前記操作対象ファイルに関するアクションを実行するステップと、ｃ）前記第１のタッチスクリーンの周囲に設けられたハードウエアボタンに対応する機能を実現する前記アクションの実行指示を受け付け且つ前記ドラッグアンドドロップ操作におけるドロップ操作の対象領域である第１の指示受付ボタンを、前記第１のタッチスクリーン内に表示するステップと、を実行させるためのプログラムであって、前記ステップｃ）は、前記第１の指示受付ボタンを、前記ハードウエアボタンである第２の指示受付ボタンの近傍に、前記ドラッグアンドドロップ操作におけるドラッグ操作開始後の所定のタイミングで表示するステップ、を有することを特徴とする。
【発明の効果】
【００２３】
請求項１ないし請求項１２に記載の発明によれば、携帯端末側のファイルを用いたアクションが画像形成装置側において可能である。すなわち、デバイスを越えたファイルの利用が可能である。
【００２４】
また、アクションの実行指示を受け付ける第１の指示受付ボタンが第１のタッチスクリーンに表示されるので、第１のタッチスクリーンにおけるドロップ操作のドロップ先が適切に表示される。
【００２５】
また、第１の指示受付ボタンへのドロップ操作によって、ハードウエアボタンである第２の指示受付ボタンに対応する機能を容易に実現することが可能である。また、第１の指示受付ボタンは、第２の指示受付ボタンの近傍に配置されるので、第２の指示受付ボタンとの対応関係が判り易い。
【００２６】
特に、請求項２に記載の発明によれば、アクションに関する詳細設定画面がドロップ操作に応答して第１のタッチスクリーンに表示されるので、ドロップ操作後に直ちに詳細設定を行うことができる。したがって、高い操作性を得ることができる。
【００２７】
また特に、請求項３に記載の発明によれば、アクションの実行履歴に記憶された過去の設定情報を利用する旨を設定する所定の設定ボタンを用いることによって、過去の設定情報を容易に利用することが可能である。
【００２８】
また特に、請求項６に記載の発明によれば、ドラッグアンドドロップ操作におけるドロップ操作完了時点よりも前の所定時点から、操作対象ファイルの受信動作が開始されるので、ファイルの受信を早期に完了することができる。
【図面の簡単な説明】
【００３０】
【図１】第１実施形態に係る画像形成システムを示す概略図である。
【図２】ＭＦＰの概略構成を示す機能ブロック図である。
【図３】携帯端末の概略構成を示す機能ブロック図である。
【図４】第１実施形態に係る画像形成システムの動作を示す図である。
【図５】携帯端末が操作パネル部の横に配置された状態を示す図である。
【図６】連携準備動作を示す図である。
【図７】連係動作の開始時点における両タッチスクリーンを示す図である。
【図８】ドラッグ操作の開始直後における両タッチスクリーンを示す図である。
【図９】操作パネル側にアイコンが移動した状態を示す図である。
【図１０】ドロップ操作を示す図である。
【図１１】ドラッグアンドドロップ操作の全体を示す図である。
【図１２】ドロップ操作直後に表示される詳細設定画面を示す図である。
【図１３】「ＦＡＸ」ボタンへ向かうドラッグアンドドロップ操作を示す図である。
【図１４】ドロップ操作直後に表示される詳細設定画面を示す図である。
【図１５】「ＢＯＸ」ボタンへ向かうドラッグアンドドロップ操作を示す図である。
【図１６】ドロップ操作直後に表示される詳細設定画面を示す図である。
【図１７】ＭＦＰから携帯端末へのファイル転送操作を示す図である。
【図１８】ＭＦＰから携帯端末へのファイル転送操作を示す図である。
【図１９】実行履歴を記憶したデータテーブルを示す図である。
【図２０】「前回と同じ設定」ボタンを含む詳細設定画面を示す図である。
【図２１】第３実施形態に係る動作を示す図である。
【発明を実施するための形態】
【００３１】
以下、本発明の実施形態を図面に基づいて説明する。
【００３２】
＜１．第１実施形態＞
＜１−１．システム概要＞
図１は、この実施形態に係る画像形成システム１を示す概略図である。
【００３３】
図１に示すように、画像形成システム１は、画像形成装置１０と携帯情報端末（携帯端末とも称する）６０とを備える。ここでは、画像形成装置として、ＭＦＰ（マルチ・ファンクション・ペリフェラル（Multi-Functional Peripheral））が例示される。
【００３４】
ＭＦＰ（画像形成装置）１０と携帯端末６０とは、双方向において無線通信が可能である。たとえば、無線ＬＡＮによる通信、あるいは、ブルートゥースなどの各種の規格に基づく通信等によって、ＭＦＰ１０と携帯端末６０との間の無線通信が行われ得る。
【００３５】
また、後述するように、この無線通信を利用して、ＭＦＰ１０と携帯端末６０との間で種々の情報が授受され、ＭＦＰ１０のタッチスクリーン２１と携帯端末６０に設けられたタッチスクリーン６２との間に跨がるドラッグアンドドロップ操作（図１１等参照）が実現される。また、ＭＦＰ１０は、当該ドラッグアンドドロップ操作に応じて、操作対象ファイルに関する情報（ファイルデータ等）を携帯端末６０から受信するとともに、当該操作対象ファイルに関する情報に基づいて、操作対象ファイルに関するアクション（印刷出力動作、ＦＡＸ送信動作、ＢＯＸ格納動作等）を実行する。このように、携帯端末６０は、ＭＦＰ１０との連携が可能な端末である。
【００３６】
＜１−２．ＭＦＰの構成＞
図２は、ＭＦＰ１０の概略構成を示す機能ブロック図である。
【００３７】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、入出力部６およびコントローラ９等を備えており、これらの各部を複合的に動作させることによって、各種の機能を実現する。
【００３８】
画像読取部２は、ＭＦＰ１０の所定の位置に載置された原稿を光学的に読み取って（すなわちスキャンして）、当該原稿の画像データ（原稿画像なしいスキャン画像とも称する）を生成する処理部である。この画像読取部２は、スキャン部であるとも称される。
【００３９】
印刷出力部３は、印刷対象に関するデータに基づいて紙などの各種の媒体に画像を印刷出力する出力部である。
【００４０】
通信部４は、公衆回線等を介したファクシミリ通信を行うことが可能な処理部である。さらに、通信部４は、ネットワークＮＷを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先（携帯端末６０、あるいは他のコンピュータ等）との間で各種のデータを授受することが可能である。
【００４１】
また特に、通信部４は、携帯端末６０との間で無線通信を行うことが可能である。詳細には、無線ＬＡＮによる無線通信を行うことが可能である。また、通信部４は、ブルートゥース（商標）などの各種の規格に基づく無線通信を行うことも可能である。
【００４２】
格納部５は、ハードディスクドライブ（ＨＤＤ）等の記憶装置で構成される。格納部５は、印刷ジョブ等に係るデータを記憶するとともに、各種の履歴情報等をも記憶する。
【００４３】
入出力部６は、ＭＦＰ１０に対する入力を受け付ける操作入力部６ａと、各種情報の表示出力を行う表示部６ｂとを備えている。このＭＦＰ１０においては、操作パネル部２０（図１および図５参照）が入出力部６として設けられている。
【００４４】
この操作パネル部２０は、液晶表示パネルに圧電センサ等が埋め込まれたタッチスクリーン２１を有している。タッチスクリーン２１は、表示部６ｂの一部として機能するとともに、操作入力部６ａの一部としても機能する。
【００４５】
また、操作パネル部２０は、操作入力部６ａとして機能する各種のハードウエアボタン（キー）２３（図５参照）をさらに有している。詳細には、ハードウエアボタン２３は、アクション実行ボタン２４、テンキー２５、スタートボタン２６、停止ボタン２７およびリセットボタン２８を有している。ここでは、アクション実行ボタン２４として、各種のアクション（換言すれば、各種の機能）の実行指示を受け付ける３つのアクション実行ボタン２４（詳細には２４１，２４３，２４５）が設けられている。具体的には、コピー機能の実行指示を受け付けるハードウエアボタン（「コピーボタン」）２４１と、ファクシミリ通信機能の実行指示を受け付けるハードウエアボタン（「ＦＡＸボタン」）２４３と、ボックス機能の実行指示を受け付けるハードウエアボタン（「ＢＯＸボタン」）２４５とがアクション実行ボタン２４として設けられている。
【００４６】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）ＰＧ１を実行することによって、各種の処理部を実現する。なお、当該プログラムＰＧ１は、ＵＳＢメモリなどの可搬性の記録媒体、あるいはネットワークＮＷ等を介してＭＦＰ１０にインストールされるようにしてもよい。
【００４７】
具体的には、図２に示すように、コントローラ９は、入力制御部１１と表示制御部１２と通信制御部１５と動作制御部１６とを含む各種の処理部を実現する。
【００４８】
入力制御部１１は、操作入力部６ａ（操作パネル部２０等）と協働して、ＭＦＰ１０に対する入力（操作入力）を受け付ける処理部である。
【００４９】
表示制御部１２は、表示部６ｂ（操作パネル部２０等）における表示出力動作等を制御する処理部である。
【００５０】
通信制御部１５は、通信部４と協働して、外部機器（ファクシミリ通信の送信先装置、および携帯端末６０等）との通信を行う処理部である。
【００５１】
動作制御部１６は、各種のジョブ（コピージョブ、印刷出力ジョブ、ファクシミリ通信ジョブおよびボックス格納ジョブ等）の動作等を制御する処理部である。
【００５２】
＜１−３．携帯端末６０の構成＞
携帯端末６０は、携帯可能なコンピュータシステムとして構成される。携帯端末６０は、タッチスクリーン６２とハードウエアボタン６３とを有しており、ユーザからの各種の操作入力を受け付けることなどが可能である（図１および図５参照）。
【００５３】
図３は、携帯端末６０の概略構成を示す機能ブロック図である。図３に示すように、携帯端末６０は、通信部６４、格納部６５およびコントローラ６９等を有している。
【００５４】
通信部６４は、ネットワーク通信を行うことが可能である。当該ネットワーク通信を利用することによって、携帯端末６０は、所望の相手先（ＭＦＰ１０等）との間で各種のデータを授受することが可能である。特に、携帯端末６０はＭＦＰ１０との間で無線通信を行うことが可能である。詳細には、無線ＬＡＮによる通信が可能である。また、通信部６４は、ブルートゥースなどの各種の規格に基づく無線通信を行うことも可能である。
【００５５】
格納部６５は、不揮発性の半導体メモリ等の記憶装置で構成される。格納部５は、各種のデータファイル等を記憶する。
【００５６】
コントローラ６９は、ＣＰＵおよび各種の半導体メモリ等を備えるコンピュータシステムとして構成される。
【００５７】
コントローラ６９は、そのＣＰＵにおいて、格納部６５内に格納されているプログラムを実行することによって、各種の処理部を実現する。
【００５８】
より詳細には、携帯端末６０には所定のＯＳ（オペレーティングシステム）、たとえばアンドロイド（商標）などのＯＳが搭載されており、複数のアプリケーションソフトウエアプログラム（アプリケーションプログラムなどとも称する）を当該ＯＳ上で実行することが可能である。これらの複数のアプリケーションプログラムの中には、ＭＦＰ１０との連携を図るためのアプリケーションソフトウエアＰＧ２などが含まれる。
【００５９】
そして、携帯端末６０は、当該アプリケーションプログラムＰＧ２を実行し、ＭＦＰ１０との間で各種の情報を授受することによって、ＭＦＰ１０との連携を図ることができる。当該アプリケーションプログラムＰＧ２の実行によって、図３に示すように、コントローラ６９は、入力制御部７１と表示制御部７２と通信制御部７５と動作制御部７６とを含む各種の処理部を実現する。
【００６０】
入力制御部７１は、操作入力部（タッチスクリーン６２およびボタン６３等）と協働して、携帯端末６０に対する入力（操作入力）を受け付ける処理部である。
【００６１】
表示制御部７２は、表示部（タッチスクリーン６２等）における表示出力動作等を制御する処理部である。
【００６２】
通信制御部７５は、通信部６４と協働して、外部機器（ＭＦＰ１０等）との通信を行う処理部である。
【００６３】
動作制御部７６は、各種のジョブ（フォルダ格納ジョブ等）の動作を制御する処理部である。
【００６４】
＜１−４．動作＞
つぎに、携帯端末６０とＭＦＰ１０との連携動作について説明する。以下では、携帯端末６０内のデータファイル（以下単にファイルとも称する）がＭＦＰ１０に送信され当該データファイルに基づいて各種のアクションが実行される動作について説明する。後に詳述するように、操作パネル部２０のタッチスクリーン２１と携帯端末６０のタッチスクリーン６２との間に跨がるドラッグアンドドロップ操作（図１１等参照）に応じて、操作対象ファイルに関するアクション（ここでは、コピー動作、ファクシミリ送信動作、ボックス格納動作のいずれか）が実行される。
【００６５】
図４は、当該動作等を示す図である。
【００６６】
図４に示すように、まず、ユーザＵＡは所定の操作によって携帯端末６０とＭＦＰ１０との両者をいずれも「連携準備モード」に移行させ、両者の連携準備動作を開始させる（時刻Ｔ０）。
【００６７】
また、ユーザＵＡは、携帯端末６０をＭＦＰ１０の操作パネル部２０に対して接近させ（図１参照）、図５に示すように、携帯端末６０の右側側面部と操作パネル部２０の左側側面部とを接触させた状態で携帯端末６０を当該ユーザの左手で保持する。
【００６８】
このとき、図６に示すように、操作パネル部２０には、連携準備用のユーザ操作指示内容が表示されている。具体的には、「携帯端末のタッチパネル（タッチスクリーン）とＭＦＰのタッチパネルとを間で、両者の接触辺（接触部分）を跨ぐようにして、連携用のドラッグ操作を行ってください。」との文字が示されている。
【００６９】
ユーザＵＡは、この表示内容に基づきドラッグ操作を行う。具体的には、たとえば先ず自らの右手の指（人差し指等）を、携帯端末６０のタッチスクリーン６２内の適宜の位置（例えば中央）に接触（タッチ）させる。そして、ユーザＵＡは、タッチスクリーン６２に対する指の接触状態を継続しつつ、当該指をタッチスクリーン６２上で滑らせながら水平方向右側に向けて移動し、ドラッグ操作を開始する。さらに、ユーザＵＡは、タッチスクリーン６２の右側枠部とタッチスクリーン２１の左側枠部とにおいても水平方向右側に向かうドラッグ操作を継続し、今度はタッチスクリーン２１内の左側端部付近に当該指を接触させてタッチスクリーン２１上でドラッグ操作を暫く継続した後に、当該ドラッグ操作を終了する（図６における極太の点線参照）。
【００７０】
これにより、ＭＦＰ１０は、略矩形形状を有するタッチスクリーン２１の左辺に沿う位置に携帯端末６０が配置されていること（換言すれば、携帯端末６０がタッチスクリーン２１の左辺に接触していること）を認識することができる。また、ＭＦＰ１０は、その接触辺（タッチスクリーン２１の左辺）に沿う方向における携帯端末６０と操作パネル部２０との相対位置関係を認識することもできる。
【００７１】
同様に、携帯端末６０は、略矩形形状を有するタッチスクリーン６２の右辺に沿う位置にＭＦＰ１０の操作パネル部２０が配置されていること（換言すれば、ＭＦＰ１０の操作パネル部２０がタッチスクリーン６２の右辺に接触していること）を認識することができる。また、携帯端末６０は、その接触辺（タッチスクリーン６２の右辺）に沿う方向における携帯端末６０と操作パネル部２０との相対位置関係を認識することもできる。
【００７２】
また、ＭＦＰ１０と携帯端末６０とは、それぞれ、認識した当該ドラッグ操作に関する情報を相互的に送受信する。
【００７３】
このような連携準備動作が完了すると、ＭＦＰ１０と携帯端末６０との両者はいずれも「連携モード」に自動的に移行する。これにより、ＭＦＰ１０は、携帯端末６０から自機へと向かうドラッグアンドドロップ操作に基づく実行指示を受け付ける状態に遷移する。なお、同様に、携帯端末６０も、ＭＦＰ１０から自機へと向かうドラッグアンドドロップ操作に基づく実行指示を受け付ける状態に遷移する。
【００７４】
その後、ユーザＵＡは、図７に示されるように、アプリケーションＰＧ２の管理下でタッチスクリーン６２に表示されている複数のファイル（図７では６つのファイルＦＬ１〜ＦＬ６）の中から、操作対象ファイル（例えばファイルＦＬ２）を選択する。そして、ユーザＵＡは、操作対象ファイル（詳細にはそのアイコン）に対するドラッグアンドドロップ動作を行って（図１１参照、より詳細には図８〜図１０参照）、操作対象ファイルに対するアクション（例えば印刷出力動作）の実行を指示する。
【００７５】
ここにおいて、図７に示すように、「連携モード」への切換持点（換言すれば、操作対象ファイルに対するドラッグ操作開始前の時点）においては、タッチスクリーン２１には何も表示されていない。そのため、ファイルに対するドラッグアンドドロップ操作でアクション実行指示が可能である旨がユーザにより認識される場合であっても、ドロップ先が不明である。
【００７６】
そこで、この実施形態においては、図８に示すように、操作対象ファイルに対するドラッグ操作開始後の所定の時点（図８ではドラッグ操作開始直後の時点）において、（アクションの実行指示を受け付ける）「指示受付ボタン」（ＢＮ１〜ＢＮ３）をタッチスクリーン２１に表示させる。
【００７７】
これらの指示受付ボタンＢＮ１〜ＢＮ３は、ソフトウエアにより実現されタッチスクリーン２１内に表示されるボタン（いわゆるソフトウエアボタン）である。指示受付ボタンＢＮ１〜ＢＮ３は、ドラッグアンドドロップ操作におけるドロップ操作の対象領域、すなわち所謂ドロップ先（ドロップ先領域）として設けられる。なお、指示受付ボタンＢＮ１〜ＢＮ３は、「ボタン」と表現されるが、必ずしもユーザの押下操作に応答する機能を有していることを要さず、ドロップ先領域としての機能を有していれば十分である。
【００７８】
各指示受付ボタンＢＮ１，ＢＮ２，ＢＮ３は、それぞれ、ハードウエアボタン２４１，２４３，２４５に対応して設けられる。
【００７９】
具体的には、各指示受付ボタンＢＮ１，ＢＮ２，ＢＮ３は、タッチスクリーン２１の周囲（詳細には、タッチスクリーン２１の下辺の下側）に設けられたハードウエアボタン２４１，２４３，２４５に対して、それぞれ、内側（詳細には直上）の位置に設けられる。
【００８０】
また、指示受付ボタンＢＮ１，ＢＮ２，ＢＮ３は、ハードウエアボタン２４１，２４３，２４５に対応する機能を実現するアクションの実行指示を受け付けるボタンである。
【００８１】
具体的には、指示受付ボタン（「ＣＯＰＹ」ボタン）ＢＮ１は、アクションＡＣ１の実行指示を受け付けるボタンである。アクションＡＣ１は、ハードウエアボタン２４１の機能（「コピー（複写印刷出力）」）に対応する機能（詳細には、操作対象ファイルの印刷出力機能）を実現するものである。
【００８２】
指示受付ボタン（「ＦＡＸ」ボタン）ＢＮ２は、アクションＡＣ２の実行指示を受け付けるボタンである。アクションＡＣ２は、ハードウエアボタン２４３の機能（「ファクシミリ送信」に対応する機能（詳細には、操作対象ファイルに関するファクシミリ送信機能）を実現するものである。
【００８３】
指示受付ボタン（「ＢＯＸ」ボタン）ＢＮ３は、アクションＡＣ３の実行指示を受け付けるボタンである。アクションＡＣ３は、ハードウエアボタン２４５の機能（「ボックス処理」）に対応する機能（詳細には、操作対象ファイルをボックスに格納するボックス格納機能）を実現するものである。
【００８４】
ファイルに対するドラッグアンドドロップ操作でアクション実行指示が可能である旨がユーザＵＡにより認識される場合において、これらのボタンＢＮ１，ＢＮ２，ＢＮ３がタッチスクリーン２１に表示されることによれば、これらのボタンＢＮ１，ＢＮ２，ＢＮ３はドロップ操作の対象領域として適切に表示される。換言すれば、ユーザＵＡは、これらのボタンＢＮ１，ＢＮ２，ＢＮ３がドラッグアンドドロップ操作のドロップ先である旨、を比較的容易に認識することができる。
【００８５】
そして、ユーザＵＡは、所望のアクション（ＡＣ１〜ＡＣ３のいずれか）に対応するボタン（ＢＮ１〜ＢＮ３のいずれか）に対して、操作対象ファイルをドロップする。このドロップ操作に応答して、対応するアクションが実行される。
【００８６】
たとえば、指示受付ボタンＢＮ１へのドロップ操作によれば、ハードウエアボタン２４１に割り付けられている機能（複写印刷出力機能）に対応する機能（操作対象ファイルの印刷出力機能）を実現することが可能である。
【００８７】
また、指示受付ボタンＢＮ２へのドロップ操作によれば、ハードウエアボタン２４３に割り付けられている機能（ファクシミリ送信機能）に対応する機能（操作対象ファイルに関するファクシミリ送信機能）を実現することが可能である。
【００８８】
また、指示受付ボタンＢＮ３へのドロップ操作によれば、ハードウエアボタン２４５に割り付けられている機能（ボックス機能）に対応する機能（操作対象ファイルをボックスに格納するボックス格納機能）を実現することが可能である。
【００８９】
以下では、図８のような画面の表示がユーザＵＡのドラッグ操作開始直後の時点において開始される場合について、さらに詳細に説明する。
【００９０】
時刻Ｔ１（図４）においてタッチスクリーン６２上に表示された複数のファイルＦＬｉ（ここではファイルＦＬ１〜ＦＬ６）（図７参照）のうちの操作対象ファイル（ここではファイルＦＬ２）に対するドラッグアンドドロップ操作（詳細にはドラッグ操作）がユーザＵＡによって開始される。
【００９１】
このドラッグ操作の開始に応答して、図８に示すように、携帯端末６０は、タッチスクリーン６２上で操作対象ファイルＦＬ２（詳細にはその対応アイコン）の表示位置を移動させる移動処理を開始する（ステップＳ２１）。また、携帯端末６０は、ドラッグ操作が開始された旨（開始通知）をＭＦＰ１０に送信する。ＭＦＰ１０は、当該開始通知に応答して、図８に示すように、ボタンＢＮ１〜ＢＮ３をタッチスクリーン２１に表示する（ステップＳ２２）。すなわち、指示受付ボタンＢＮ１〜ＢＮ３の表示が開始される。
【００９２】
また、携帯端末６０は、アイコン情報（アイコン画像データ等）をＭＦＰ１０に送信する（ステップＳ２３）。さらにアイコン情報の送信完了後において、携帯端末６０は、操作対象ファイルの情報（ファイルデータ等）をＭＦＰ１０へ向けて送信する送信動作を開始する。操作対象ファイルの情報は比較的大きく、比較的長い送信時間を要するため、ドラッグ操作に並行して送信動作が実行された後、所定時間経過後の時刻Ｔ４において当該送信動作が終了する。そのため、このように、ドラッグアンドドロップ操作におけるドロップ操作の完了前（ドロップ操作完了時点よりも前の所定の時点（ここではドラッグ操作時点））から操作対象ファイルの情報の送信を早期に開始することが好ましい。これによれば、ドロップ操作完了時以後からファイル送信を開始する場合に比べて、ファイル送信を早期に完了させることが可能である。
【００９３】
その後、ユーザＵＡによる継続的なドラッグ操作に伴って、操作対象ファイルのアイコンが両デバイス６０，１０相互間の境界線（詳細にはタッチスクリーン６２の右端）を越えると、携帯端末６０はＭＦＰ１０に対して端部位置情報ＰＥを送信する（ステップＳ２５）。この端部位置情報ＰＥは、タッチスクリーン６２の端部（＋Ｘ側端部（右側端部））に表示されているアイコンの表示位置（特に縦方向位置（Ｙ位置））等を含む情報である。その後、タッチスクリーン２１の左側端部（詳細には縦方向における対応範囲）でのタッチ操作が検出されると、端部位置情報ＰＥに基づき当該タッチ操作は継続中のドラッグ操作の一部であるとみなされる。そして、ＭＦＰ１０は、端部位置情報ＰＥ等に基づき、タッチスクリーン２１の左側端部（−Ｘ側端部）におけるタッチ位置にアイコンを表示する（ステップＳ２７）。一方、携帯端末６０は、タッチスクリーン６２の右側端部（＋Ｘ側端部）に表示されていたアイコンを削除する（ステップＳ２６）。このようにして、ユーザＵＡのドラッグ操作に応じて、携帯端末６０からＭＦＰ１０へとアイコン表示が引き継がれる（図９参照）。
【００９４】
その後、ユーザＵＡは、（今度はタッチスクリーン２１において）ドラッグ操作をさらに継続する。そして、時刻Ｔ６において、図１０に示すように、所望のドロップ先（ここでは「ＣＯＰＹ」ボタンＢＮ１）に対して、操作対象ファイル（詳細にはそのアイコン）をドロップする。すなわち、ドロップ操作が完了する。これにより、図１１に示すようなドラッグアンドドロップ操作が完了する。
【００９５】
時刻Ｔ６においてドロップ操作が完了すると、当該ドロップ操作の完了に応答して、図１２に示すように、ＭＦＰ１０は、ボタンＢＮ１に対応するアクション実行用の詳細設定画面ＧＡ１をタッチスクリーン２１に表示する（ステップＳ３１）。ここでは、ボタンＢＮ１〜ＢＮ３の表示は、詳細設定画面ＧＡの表示開始に伴って消去され、詳細設定画面ＧＡ１がタッチスクリーン２１の全体を利用して大きく表示されるものとする。
【００９６】
そして、ユーザＵＡは、この詳細設定画面ＧＡ１を利用して、操作対象ファイルの印刷出力に関する各種の設定（例えば、「カラー／モノクロ」、「用紙サイズ」、「倍率」、「片面／両面」などに関する設定）を行い、設定動作終了に応じてスタートボタン２６を押下する。
【００９７】
ＭＦＰ１０は、スタートボタン２６の押下に応答して、時刻Ｔ４にて予め受信された操作対象ファイルＦＬ２のファイルデータ等を用いてアクションＡＣ１を実行する。具体的には、操作対象ファイルＦＬ２のファイルデータに基づいて印刷出力用データを作成し、当該印刷出力用データを用いて操作対象ファイルＦＬ２の印刷出力を実行する。この印刷出力においては、上述の詳細設定画面ＧＡ１を用いた設定内容が反映される。
【００９８】
また、上記においては、ボタンＢＮ１へのドロップ操作を中心に説明したが、他のボタンＢＮ２，ＢＮ３へのドロップ操作が行われる場合も同様である。
【００９９】
たとえば、図１３に示すように操作対象ファイル（詳細にはそのアイコン）がドラッグアンドドロップ操作によって「ＦＡＸ」ボタンＢＮ２にドロップされると、図１４に示すように、ファクシミリ送信における詳細設定画面ＧＡ２が表示される。詳細設定画面ＧＡ２には、複数の宛先ＤＳ１〜ＤＳ８（詳細にはそのボタン）が表示されている。ユーザＵＡは、この詳細設定画面ＧＡ２を利用して、ファクシミリ送信の宛先を指定することができる。具体的には、複数の宛先ＤＳ１〜ＤＳ８の中から所望の宛先ボタンを押下すること、送信先を指定することができる。あるいは、詳細設定画面ＧＡ２内の直接指定タブを押下した後に、テンキー２５等を用いて直接ＦＡＸ番号を入力するようにしてもよい。
【０１００】
その後、スタートボタン２６の押下に応答して、アクションＡＣ２が実行される。具体的には、操作対象ファイルの各ページがそれぞれ画像化されてファクシミリ送信用画像データが作成され、指定された宛先に向けてファクシミリ送信用画像データがファクシミリ送信される。
【０１０１】
同様に、図１５に示すように操作対象ファイル（詳細にはそのアイコン）がドラッグアンドドロップ操作によって「ＢＯＸ」ボタンＢＮ３にドロップされると、図１６に示すように、ボックス格納処理における詳細設定画面ＧＡ３が表示される。詳細設定画面ＧＡ３には、複数のボックスＢＸ１〜ＢＸ７（詳細にはそのボタン）が表示されている。ユーザＵＡは、この詳細設定画面ＧＡ３を利用して、ボックス格納処理における格納先（詳細には、格納先のボックス（フォルダ））を指定することができる。具体的には、複数のボックスＢＸ１〜ＢＸ７の中から所望の格納先ボックスのボタンを押下すること、格納先を指定することができる。その後、スタートボタン２６の押下に応答して、アクションＡＣ３が実行される。具体的には、指定されたボックス（フォルダ）に操作対象ファイルが格納される。
【０１０２】
なお、操作対象ファイルのアイコンが、タッチスクリーン２１内のボタンＢＮ１〜ＢＮ３のいずれにも該当しない領域（ドロップ先としての無効領域）に対してドロップされた場合には、「もう一度ファイルを選択してドラッグアンドドロップ操作をやり直してください」などの文字を有する警告画面がタッチスクリーン２１に表示される。その後、ユーザＵＡは、当該警告表示を確認した後、ユーザＵＡによるドラッグアンドドロップ操作を再び実行する。なお、その際、ボタンＢＮ１〜ＢＮ３は一旦消去されてもよく、再度のドラッグアンドドロップ操作が終了するまで引き続き表示されるようにしてもよい。
【０１０３】
以上のように、この実施形態によれば、タッチスクリーン２１とタッチスクリーン６２との間に跨がるドラッグアンドドロップ操作に応じて、操作対象ファイルに関する情報が携帯端末６０からＭＦＰ１０へと送信され、ＭＦＰ１０は、当該情報に基づいて、操作対象ファイルに関するアクションを実行する。したがって、携帯端末６０側に格納されていた操作対象ファイルに関するアクションを、ＭＦＰ１０側において実行することが可能である。すなわち、デバイスを越えたファイルの利用が可能である。また、「操作対象ファイル（詳細にはそのアイコン）に関するドラッグアンドドロップ操作」という直感的且つ簡易な１つの操作によって、操作対象ファイルに関するアクションの実行指示を付与することができる。
【０１０４】
また、指示受付ボタンＢＮ１，ＢＮ２，ＢＮ３が、ドラッグアンドドロップ操作におけるドラッグ操作開始後の所定のタイミング（ここでは、ドラッグ操作開始直後の時点）でタッチスクリーン２１によって表示される。換言すれば、ドラッグアンドドロップ操作においてタッチスクリーン６２からタッチスクリーン２１へのアイコンの移動が完了するまでに、ボタンＢＮ１〜ＢＮ３が適切に表示される。したがって、ドロップ操作の対象（対象領域）が適切に表示され、ユーザＵＡはタッチスクリーン２１内でのドロップ先を容易に認識することができる。特に、タッチスクリーン６２でのドラッグ操作開始直後の時点で、タッチスクリーン２１におけるボタンＢＮ１〜ＢＮ３の表示が開始されるので、各ボタンＢＮ１〜ＢＮ３がドロップ先の候補であることが判り易い。
【０１０５】
さらに、指示受付ボタンＢＮ１，ＢＮ２，ＢＮ３は、それぞれ、ハードウエアボタン２４１，２４３，２４５に対応する機能を実現するアクションの実行指示を受け付けるボタンであり、ハードウエアボタン２４１，２４３，２４５の近傍にそれぞれ配置される。したがって、指示受付ボタンＢＮ１，ＢＮ２，ＢＮ３へのドロップ操作によって、ハードウエアボタン２４１，２４３，２４５に割り付けられている機能に対応する機能を容易に実現することが可能である。特に、指示受付ボタンＢＮ１，ＢＮ２，ＢＮ３は、ハードウエアボタン２４１，２４３，２４５の近傍にそれぞれ配置されるので、ハードウエアボタン２４１，２４３，２４５との対応関係が判り易い。
【０１０６】
また、タッチスクリーン２１においては、指示受付ボタンＢＮ（ＢＮ１，ＢＮ２，ＢＮ３）に対する操作対象ファイルのドロップ操作に応答して、アクションＡＣ（ＡＣ１，ＡＣ２，ＡＣ３）に関する詳細設定画面ＧＡ（ＧＡ１，ＧＡ２，ＧＡ３）が表示される。したがって、ドロップ操作後に直ちに詳細設定を行うことができるので、高い操作性を得ることができる。
【０１０７】
なお、ここでは、ドロップ操作に応答して詳細設定画面ＧＡが表示される場合が例示されているが、これに限定されない。たとえば、ドラッグ操作の途中でアイコンがボックスボタンＢＮ３に重畳された状態が一定期間（例えば１秒）継続したことに応答して、図１６と同様の詳細設定画面ＧＡ３（格納先一覧画面）が表示されるようにしてもよい。その後、ユーザＵＡは、ドラッグ操作を継続して、所望の格納先フォルダに操作対象ファイル（詳細にはアイコン）をドロップすることによって、当該格納先フォルダに操作対象ファイルが格納されるようにしてもよい。
【０１０８】
＜１−５．逆向きの動作＞
上記においては、ドラッグアンドドロップ操作が携帯端末６０からＭＦＰ１０に向けて実行される場合が例示されているが、これに限定されない。逆に、ＭＦＰ１０から携帯端末６０に向けてドラッグアンドドロップ操作が実行されるようにしてもよい。このときには、基本的には、両装置１０，６０において、図４における各装置とは逆の装置の動作が適宜実行されればよい。すなわち、図４ではＭＦＰ１０にて実行された動作が携帯端末６０で実行され、図４では携帯端末６０にて実行された動作がＭＦＰ１０で実行されればよい。以下では、このような動作（詳細には、ＭＦＰ１０に格納されている操作対象ファイルを、携帯端末６０の記憶部にコピーするファイルコピー動作）について説明する。また、ここでは、ＭＦＰ１０から携帯端末６０へのドラッグアンドドロップ操作に伴って常にファイルコピー動作が実行されるものとする。さらに、携帯端末６０においては、ステップＳ２２におけるボタンＢＮ１〜ＢＮ３の表示動作は行われず、格納先フォルダを表示する詳細設定画面ＧＢ３の表示動作が直ちに行われるものとする。具体的には、ＭＦＰ１０でのドラッグ操作の開始に応答して、タッチスクリーン６２において図１８のような詳細設定画面ＧＢ３（格納先一覧画面）が表示されるものとする。
【０１０９】
具体的には、図１７に示すように、まず、ユーザＵＡは、所定の操作を行い、操作ファイルの選択画面ＧＣ５をタッチスクリーン２１に表示させる。この選択画面ＧＣ５には、複数のファイル（詳細にはそのアイコン）が表示されている。次に、ユーザＵＡは、これらの複数のファイルの中から所望のファイルＦＬａを操作対象ファイルとして選択し、タッチスクリーン２１からタッチスクリーン６２へと向かうドラッグアンドドロップ操作を開始する。
【０１１０】
ＭＦＰ１０においてドラッグ操作が開始されると、ＭＦＰ１０から携帯端末６０へとドラッグ操作開始通知が送信される。ドラッグ操作開始通知に応答して、携帯端末６０は、格納先フォルダに関する複数の候補を含む詳細設定画面ＧＢ５（格納先選択画面ないし格納先一覧画面）をタッチスクリーン６２に表示する（図１８参照）。たとえば、携帯端末６０に格納されているデータの一覧画面が、詳細設定画面ＧＢ５として表示される。
【０１１１】
ユーザＵＡは、タッチスクリーン２１からタッチスクリーン６２へと向かうドラッグアンドドロップ操作を継続し、タッチスクリーン６２に表示された所望の格納先フォルダＦＲ３（詳細にはそのアイコン）に操作対象ファイルＦＬａ（詳細にはそのアイコン）をドロップする。これに応じて、ＭＦＰ１０内の操作対象ファイルＦＬａが携帯端末６０内の当該格納先フォルダＦＲ３に格納される。
【０１１２】
このような動作によれば、タッチスクリーン２１とタッチスクリーン６２との間に跨がるドラッグアンドドロップ操作に応じて、操作対象ファイルに関する情報がＭＦＰ１０から携帯端末６０へと送信され、携帯端末６０は、当該情報に基づいて、操作対象ファイルをコピーして携帯端末６０内の指定フォルダに格納する。したがって、ＭＦＰ１０側のファイルを用いたアクションが携帯端末６０側において可能であり、デバイスを越えたファイルの利用が可能である。特に、ＭＦＰ１０側に格納されていた操作対象ファイルを、１つのドラッグアンドドロップ操作操作で、携帯端末６０に容易にコピーすることが可能である。
【０１１３】
＜２．第２実施形態＞
第２実施形態は、第１実施形態の変形例である。以下、第１実施形態との相違点を中心に説明する。
【０１１４】
この第２実施形態においては、携帯端末との連携動作に係るアクションの実行履歴を利用する態様を例示する。第２実施形態では、ＭＦＰ１０の格納部５の一部（履歴格納部）において、携帯端末との連携動作に係るアクションの実行履歴が記憶される。
【０１１５】
図１９は、アクションＡＣ１に関する実行履歴を記憶したデータテーブルＴＢ１を示す図である。また、図１９に示すように、このデータテーブルＴＢ１には、複数の携帯端末６０ａ〜６０ｄに関して、それぞれ、アクションＡＣ１に関する最新の実行履歴が格納されている。当該実行履歴には、アクションＡＣ１に関する過去の設定情報、詳細には、最新の実行時に利用された「詳細設定」（「色」、「用紙サイズ」、「両面／片面」、「濃度」、「倍率」、「ステープルの有無」などの各種の詳細設定内容）が記憶されている。たとえば、携帯端末６０ａに関しては、「フルカラー」、「用紙サイズ＝Ａ３」、「片面」、「濃度普通」、「倍率９０％」、「ステープル有り」などの設定内容（直前の設定内容）が記憶されている。
【０１１６】
そして、図４に示す動作が第１実施形態と同様に実行され、ドラッグアンドドロップ操作におけるドロップ操作の完了に応じて、詳細設定画面ＧＡがタッチスクリーン２１に表示される（ステップＳ３１）。このとき、この詳細設定画面ＧＡにおいて、「前回と同じ設定」を利用する旨を指示するボタンＢＳが設けられる。図２０では、アクションＡＣ１に関する詳細設定画面ＧＡ１１において、「前回と同じ設定」を利用する旨を指示するボタンＢＳが表示されている。ユーザＵＡは、このボタンＢＳを押下することによって前回の詳細設定内容を容易に設定することができ、過去の設定情報を容易に利用することが可能である。
【０１１７】
特に、ボタンＢＳの押下に応じて、複数の携帯端末６０（詳細には、６０ａ，６０ｂ，６０ｃ，６０ｄ，...）のうち、現在連携中の携帯端末６０ａに関する前回の設定内容が設定される。したがって、携帯端末ごと（ひいてはユーザごと）の前回の設定内容を簡易に利用することができる。
【０１１８】
なお、その他のアクションＡＣ２，ＡＣ３についても同様である。アクションＡＣ２に関しては、同様のボタンＢＳを利用することによって、前回の宛先と同じ宛先を、今回の宛先として容易に且つ確実に指定することができる。また、アクションＡＣ３に関しても、同様のボタンＢＳを利用することによって、前回の格納先フォルダと同じ格納先フォルダを、今回の格納先フォルダとして容易に且つ確実に指定することができる。
【０１１９】
また、ここでは、アクションＡＣ１の最新の実行履歴に係る設定情報のみが利用される態様が主に例示されているが、これに限定されない。たとえば、アクションＡＣ１（，ＡＣ２，ＡＣ３）に関する実行履歴において、複数の過去の設定情報が記憶され、当該複数の設定情報のいずれかが利用されるようにしてもよい。詳細には、当該複数の過去の設定情報をリスト形式等で示す画面（一覧表示画面）を、ボタンＢＳの押下等に応じてタッチスクリーン２１に表示させ、当該一覧表示画面の中から所望の設定が選択されて指定されるようにすればよい。
【０１２０】
＜３．第３実施形態＞
第３実施形態は、第１実施形態（または第２実施形態）の変形例である。
【０１２１】
上記各実施形態においては、タッチスクリーン２１において、ドラッグアンドドロップ操作におけるドラッグ操作開始直後に指示受付ボタンＢＮ１〜ＢＮ３が表示されている（ステップＳ２２）が、これに限定されない。具体的には、ドラッグアンドドロップ操作においてタッチスクリーン６２からタッチスクリーン２１への操作対象ファイル（詳細にはそのアイコン）の移動が行われた時点で、指示受付ボタンＢＮ１〜ＢＮ３がタッチスクリーン２１に表示されるようにしてもよい。
【０１２２】
また、上記実施形態においては、ドラッグアンドドロップ操作におけるドラッグ操作開始直後から、操作対象ファイルの送受信動作が開始されている（ステップＳ２４）が、これに限定されない。具体的には、ドラッグアンドドロップ操作においてタッチスクリーン６２からタッチスクリーン２１への操作対象ファイル（詳細にはそのアイコン）の移動が行われた時点で、操作対象ファイルの送受信動作が開始されるようにしてもよい。
【０１２３】
第３実施形態においては、このような態様について、第１実施形態等との相違点を中心に説明する。
【０１２４】
図２１は、第３実施形態に係る動作を示す図である。
【０１２５】
図２１に示すように、まず、第３実施形態においても上記第１実施形態と同様に、連携準備動作（ステップＳ１０）が行われた後、時刻Ｔ１においてドラッグ操作が開始される。なお、この第３実施形態においては、第１実施形態とは異なり、このドラッグ操作開始の直後ではボタンＢＮ１〜ＢＮ３は未だ表示されない。
【０１２６】
その後、ドラッグアンドドロップ操作においてタッチスクリーン６２からタッチスクリーン２１への操作対象ファイル（詳細にはそのアイコン）の移動が行われた時点（端的に言えば、ドラッグ位置がデバイス境界を跨いだ時点）（時刻Ｔ１３）で、端部位置情報ＰＥの送信処理が行われ（ステップＳ２５）、指示受付ボタンＢＮ１〜ＢＮ３が表示される（ステップＳ２２）。
【０１２７】
また、アイコン情報の送信動作（ステップＳ２３）が行われ、さらにファイル情報の送信処理が開始される（ステップＳ２４）。このように、ドラッグアンドドロップ操作におけるドロップ操作の完了前（ドロップ操作完了時点よりも前の所定の時点（ここでは、ドラッグ位置がデバイス境界を跨いだ時点））から操作対象ファイルの情報の送信を早期に開始することが好ましい。これによれば、ドロップ操作完了時以後からファイル送信を開始する場合に比べて、ファイル送信を早期に完了（時刻Ｔ１４）させることが可能である。
【０１２８】
さらに、携帯端末６０側でのアイコン削除処理（ステップＳ２６）とＭＦＰ１０側でのアイコン表示動作（ステップＳ２７）とが実行される。これにより、ユーザＵＡのドラッグ操作に応じて、携帯端末６０からＭＦＰ１０へとアイコン表示が引き継がれる（図９参照）。
【０１２９】
その後、ユーザＵＡが操作対象ファイル（詳細にはそのアイコン）を所望のドロップ先にドロップする（時刻Ｔ１６）と、当該ドロップ先に対応するアクション実行用の詳細設定画面ＧＡがタッチスクリーン２１に表示される（ステップＳ３１）。
【０１３０】
ユーザＵＡは、この詳細設定画面ＧＡを利用して各種の設定を行い、設定動作終了に応じてスタートボタン２６を押下すると、対応するアクションが実行される（ステップＳ３３）。
【０１３１】
以上のような動作によっても、上記第１実施形態と同様の効果を得ることが可能である。
【０１３２】
＜４．変形例等＞
以上、この発明の実施の形態について説明したが、この発明は上記説明した内容のものに限定されるものではない。
【０１３３】
たとえば、上記各実施形態においては、タッチスクリーン２１におけるボタンＢＮ１〜ＢＮ３の表示は、詳細設定画面ＧＡの表示開始に伴って消去される場合が例示されているが、これに限定されず、ボタンＢＮ１〜ＢＮ３の表示は、詳細設定画面ＧＡの表示期間においても継続されるようにしてもよい。
【０１３４】
また、上記各実施形態においては、「連携モード」への切換持点においてはタッチスクリーン２１には何も表示されていない態様を例示したが、これに限定されない。たとえば、連携モードへの切換時点においては通常のメニュー画面等が表示されており、ドラッグ操作開始後の所定の時点でメニュー画面等に代えて（あるいは追加的に）ボタンＢＮ１〜ＢＮ３が表示されるようにしてもよい。あるいは、連携モードへの切換時点から、ボタンＢＮ１〜ＢＮ３が表示されるようにしてもよい。
【符号の説明】
【０１３５】
１  画像形成システム
１０  ＭＦＰ（画像形成装置）
２０  操作パネル部
２１  タッチスクリーン
２３  ハードウエアボタン
２４，２４１，２４３，２４５  アクション実行ボタン（ハードウエアボタン）
６０，６０ａ〜６０ｄ  携帯端末
６２  タッチスクリーン
６３  ハードウエアボタン
ＢＮ１，ＢＮ２，ＢＮ３  指示受付ボタン（ソフトウエアボタン）
ＧＡ，ＧＡ１，ＧＡ２，ＧＡ３，ＧＡ１１  詳細設定画面
ＦＬ２，ＦＬａ  操作対象ファイル
【図１】
0005556767.tif 000002
【図２】
0005556767.tif 000003
【図３】
0005556767.tif 000004
【図４】
0005556767.tif 000005
【図５】
0005556767.tif 000006
【図６】
0005556767.tif 000007
【図７】
0005556767.tif 000008
【図８】
0005556767.tif 000009
【図９】
0005556767.tif 000010
【図１０】
0005556767.tif 000011
【図１１】
0005556767.tif 000012
【図１２】
0005556767.tif 000013
【図１３】
0005556767.tif 000014
【図１４】
0005556767.tif 000015
【図１５】
0005556767.tif 000016
【図１６】
0005556767.tif 000017
【図１７】
0005556767.tif 000018
【図１８】
0005556767.tif 000019
【図１９】
0005556767.tif 000020
【図２０】
0005556767.tif 000021
【図２１】
0005556767.tif 000022